(57)【特許請求の範囲】
【請求項１】
面状に広がりを有する基材上に、有機ＥＬ素子と複数の電極を有した有機ＥＬ装置を備えた有機ＥＬモジュールと、
当該有機ＥＬモジュールを固定可能な取り付け装置と、を備えた有機ＥＬモジュールの取り付け構造であって、
複数の有機ＥＬモジュールを並設する有機ＥＬモジュールの取り付け構造であって、
前記有機ＥＬ素子は、少なくとも第１電極層、有機発光層、及び第２電極層が積層されて形成されており、
前記電極は、第１電極層又は第２電極層に直接的又は間接的に接続されており、
前記取り付け装置は、有機ＥＬモジュールを壁面に対して所定の間隔を空けて支持する支持部を複数有し、
当該支持部は、外部電源と電気的に接続される軸受け部を有し、
前記有機ＥＬモジュールは、前記電極と電気的に接続された給電部材を有し、
当該給電部材は、棒状の軸部を有し、当該軸部を介して前記軸受け部と電気的に接続されるものであり、
前記軸部又は軸受け部の少なくとも一方は、その全部又は大部分が有機ＥＬモジュールの外側又は支持部の外側に向けて突出した突出姿勢と、当該突出姿勢に対して有機ＥＬモジュールの内側又は支持部の内側に向けて退避した退避姿勢とに姿勢を変更することができるものであり、
有機ＥＬモジュールは、軸部が前記軸受け部に軸支されることによって、軸部を中心に周方向に回転可能となっており、
軸部又は軸受け部の姿勢を切り替えることによって有機ＥＬモジュールを取り付け装置から着脱可能となっており、
隣接する２つの有機ＥＬモジュールは、それぞれ支持部の間に介在し、各支持部によってそれぞれ支持されており、
隣接する２つの有機ＥＬモジュールは、電気的に並列接続されていることを特徴とする有機ＥＬモジュールの取付構造。
【請求項２】
前記取り付け装置は、少なくとも２つの壁面が交差する角部近傍に取り付けられるものであり、
取り付け装置は、光を反射可能な反射面を備えた反射部材と、１つの壁面に対して支持部を固定する取り付け部を有し、
当該反射部材は、他の壁面と取り付け部に跨がって取り付けられるものであり、
前記支持部は、長尺状であって、前記取り付け部から立設されており、
前記支持部は、長手方向において、前記取り付け部とは反対側端部近傍に前記軸受け部が設けられていることを特徴とする請求項１に記載の有機ＥＬモジュールの取り付け構造。
【請求項３】
前記有機ＥＬモジュールは、その一辺の中央に軸部が設けられており、
一の有機ＥＬモジュールの軸部は、前記一の有機ＥＬモジュールに隣接する有機ＥＬモジュールの軸部と、並設方向に同一直線上に並んでおり、
前記一の有機ＥＬモジュールの軸部は、前記一の有機ＥＬモジュールに隣接する有機ＥＬモジュールの軸部と同一の支持部によって支持されていることを特徴とする請求項１又は２に記載の有機ＥＬモジュールの取り付け構造。
【請求項４】
有機ＥＬ装置を備えた有機ＥＬモジュールと、当該有機ＥＬモジュールを固定可能な取り付け装置と、を備えた有機ＥＬモジュールの取り付け構造であって、
前記有機ＥＬ装置は、前記面状に広がりを有する基材上に有機ＥＬ素子を有するものであって、発光面を備えており、
前記有機ＥＬ素子は、少なくとも第１電極層、有機発光層、及び第２電極層が積層されて形成されており、
前記取り付け装置は、前記有機ＥＬモジュールを壁面に対して所定の間隔を空けて支持する複数の支持部と、壁面に対して前記複数の支持部を固定する取り付け部を有し、
前記複数の支持部は、長尺状であって、前記取り付け部からそれぞれ立設されており、
前記複数の支持部は、外部電源と電気的に接続される軸受け部をそれぞれ有し、
前記有機ＥＬモジュールは、前記第１電極層と電気的に接続された第１軸部と、前記第２電極層と電気的に接続された第２軸部を有し、
前記有機ＥＬモジュールは、前記第１軸部が一の支持部の軸受け部に軸支され、第２軸部が他の支持部の軸受け部に軸支されることによって、前記一の支持部及び前記他の支持部と電気的に接続されるとともに回転可能となっており、
前記複数の支持部の取り付け部からの長さは、前記有機ＥＬモジュールの回転半径よりも長く、有機ＥＬモジュールが回転することによって前記発光面が前記壁面側に向けた姿勢にできることを特徴とする有機ＥＬモジュールの取付構造。
【発明の詳細な説明】
【技術分野】
【０００１】
本発明は、主に照明として用いられる有機ＥＬ（Electro Luminescence）モジュールに関するものである。また、当該有機ＥＬモジュールを壁面等に取り付ける際の取り付け構造に関するものである。
【背景技術】
【０００２】
近年、白熱灯や蛍光灯に代わる照明装置として有機ＥＬモジュールが注目され、多くの研究がなされている。
【０００３】
ここで、有機ＥＬモジュールは、有機ＥＬ装置に封止構造やケーシングを施したものである。また、有機ＥＬ装置は、ガラス基板や透明樹脂フィルム、金属シート等の基材に、有機ＥＬ素子を積層し、この有機ＥＬ素子に給電するための給電構造を形成したものである。
そして、有機ＥＬ素子は、一方又は双方が透光性を有する２つの電極を対向させ、この電極の間に有機化合物からなる発光層を積層したものである。有機ＥＬ装置は、電気的に励起された電子と正孔との再結合のエネルギーによって発光する。
すなわち、有機ＥＬモジュールは、自発光デバイスであり、発光層の材料を適宜選択することにより、種々の波長の光を発光することができる。
【０００４】
また、有機ＥＬモジュールは、白熱灯や蛍光灯、ＬＥＤ照明に比べて厚さが極めて小さくて軽量であり、且つ面状に発光するので、設置場所の制約が少ないという特長を有している。さらに、有機ＥＬモジュールは、白熱灯や蛍光灯に比べて発光効率が高いので消費電力が少なく、発熱が少ないという特長も有している。
【０００５】
ところで、近年の居住空間の照明機器は、単なる直接照明としての機能だけではなく、居住空間のデザイン性を高めるといった付加的な機能が求められている。例えば、特許文献１には、有機ＥＬ素子を内蔵した発光パネル（有機ＥＬモジュール）を備え、枠部材によって、当該発光パネルを軸支した構造が開示されている。そして、特許文献１の照明装置は、使用者が当該発光パネルを回転させることによって、照明機器の照射光を直接居住空間側に照射する直接照明と、照射光を反射させて居住空間側に反射光を照射させる間接照明とに切り替えることが可能となっている。
【先行技術文献】
【特許文献】
【０００６】
【特許文献１】特開２００９−２０６０３０号公報
【発明の概要】
【発明が解決しようとする課題】
【０００７】
ところで、有機ＥＬモジュールも、白熱灯や蛍光灯、ＬＥＤ照明と同様、寿命がある。すなわち、有機ＥＬモジュールを長時間使用すると、発光しない発光不能状態に陥る。そのため、有機ＥＬモジュールがこの発光不能状態に至った場合には、新品の有機ＥＬモジュールに交換する必要がある。
ところが、特許文献１に記載の照明装置は、枠部材の軸支部分によって一体的に固定されているため、発光パネル（有機ＥＬモジュール）が発光不能状態になると、照明装置ごと全ての発光パネルを取り替えるか、照明装置を分解して個々の発光パネルを取り替える必要があり、いずれにしても取り替え作業が繁雑となるおそれがあった。
また、模様替えなどの際には、インテリア等の配色に合わせて居住空間全体の配色を変更する場合が多い。このような場合に、特許文献１の照明装置は、発光パネルの取り替えが困難であるため、適宜変更できないという問題があった。
【０００８】
そこで、本発明は、上記の問題を解決し、直接照明の機能と間接照明の機能とを備え、有機ＥＬモジュールの取り替え容易な有機ＥＬモジュールの取り付け構造、またはそのような取り付け構造に用いられる有機ＥＬモジュールを提供することを課題とする。
【課題を解決するための手段】
【０００９】
上記課題を解決するための請求項１に記載の発明は、面状に広がりを有する基材上に、有機ＥＬ素子と複数の電極を有した有機ＥＬ装置を備えた有機ＥＬモジュールと、当該有機ＥＬモジュールを固定可能な取り付け装置と、を備えた有機ＥＬモジュールの取り付け構造であって、複数の有機ＥＬモジュールを並設する有機ＥＬモジュールの取り付け構造であって、前記有機ＥＬ素子は、少なくとも第１電極層、有機発光層、及び第２電極層が積層されて形成されており、前記電極は、第１電極層又は第２電極層に直接的又は間接的に接続されており、前記取り付け装置は、有機ＥＬモジュールを壁面に対して所定の間隔を空けて支持する支持部を複数有し、当該支持部は、外部電源と電気的に接続される軸受け部を有し、前記有機ＥＬモジュールは、前記電極と電気的に接続された給電部材を有し、当該給電部材は、棒状の軸部を有し、当該軸部を介して前記軸受け部と電気的に接続されるものであり、前記軸部又は軸受け部の少なくとも一方は、その全部又は大部分が有機ＥＬモジュールの外側又は支持部の外側に向けて突出した突出姿勢と、当該突出姿勢に対して有機ＥＬモジュールの内側又は支持部の内側に向けて退避した退避姿勢とに姿勢を変更することができるものであり、有機ＥＬモジュールは、軸部が前記軸受け部に軸支されることによって、軸部を中心に周方向に回転可能となっており、軸部又は軸受け部の姿勢を切り替えることによって有機ＥＬモジュールを取り付け装置から着脱可能となっており、隣接する２つの有機ＥＬモジュールは、それぞれ支持部の間に介在し、各支持部によってそれぞれ支持されており、隣接する２つの有機ＥＬモジュールは、電気的に並列接続されていることを特徴とする有機ＥＬモジュールの取付構造である。
本発明は、面状に広がりを有する基材上に、有機ＥＬ素子と複数の電極を有した有機ＥＬ装置を備えた有機ＥＬモジュールと、当該有機ＥＬモジュールを固定可能な取り付け装置と、を備えた有機ＥＬモジュールの取り付け構造であって、前記有機ＥＬ素子は、少なくとも第１電極層、有機発光層、及び第２電極層が積層されて形成されており、前記電極は、第１電極層又は第２電極層に直接的又は間接的に接続されており、前記取り付け装置は、有機ＥＬモジュールを壁面に対して所定の間隔を空けて支持する支持部を有し、当該支持部は、外部電源と電気的に接続される軸受け部を有し、前記有機ＥＬモジュールは、前記電極と電気的に接続された給電部材を有し、当該給電部材は、棒状の軸部を有し、当該軸部を介して前記軸受け部と電気的に接続されるものであり、前記軸部又は軸受け部の少なくとも一方は、その全部又は大部分が有機ＥＬモジュールの外側又は支持部の外側に向けて突出した突出姿勢と、当該突出姿勢に対して有機ＥＬモジュールの内側又は支持部の内側に向けて退避した退避姿勢とに姿勢を変更することができるものであり、有機ＥＬモジュールは、軸部が前記軸受け部に軸支されることによって、軸部を中心に周方向に回転可能となっており、軸部又は軸受け部の姿勢を切り替えることによって有機ＥＬモジュールを取り付け装置から着脱可能となっていることに関連する。
【００１０】
ここでいう「壁面」とは、面状に広がりを持った平面や曲面を表し、居住空間内の板状部位、例えば、天井や壁、床などを含む。
【００１１】
本発明の構成によれば、有機ＥＬモジュールは、取り付け装置によって壁面に対して所定の間隔を空けて固定され、軸部が前記軸受け部に軸支されることによって、軸部を中心に周方向に回転可能となっている。すなわち、有機ＥＬモジュールを周方向に回転させることによって、有機ＥＬ装置からの照射光を居住空間側に直接照らす直接照明としての機能と、有機ＥＬ装置からの照射光を壁面に照射し壁面からの反射光を居住空間側に照らす間接照明の機能を備えている。そのため、居住空間のデザインに合わせて、直接照明としての機能と、間接照明の機能を容易に切り替えることができる。
また、本発明の構成によれば、軸部が軸受け部に軸支されることによって、給電部材と軸受け部とが電気的に接続される。すなわち、軸受け部は有機ＥＬモジュール内への給電手段としても機能する。そのため、給電用の配線などを新たに給電用の経路として取り付ける必要がなく、コストを低減できる。
さらに、本発明の構成によれば、軸部又は軸受け部の少なくとも一方は、少なくとも突出姿勢と退避姿勢に姿勢を変更することができ、軸部又は軸受け部の姿勢を切り替えることによって有機ＥＬモジュールを取り付け装置から着脱可能となっている。
すなわち、取り付け装置に有機ＥＬモジュールを取り付ける際には、突出姿勢の軸部を軸受け部内に挿入することで、軸部が軸受け部に軸支されて、有機ＥＬ装置と外部電源が電気的に接続され、有機ＥＬ装置を駆動させることが可能となる。あるいは、軸部を突出姿勢の軸受け部内に挿入することで、軸部が軸受け部に軸支されて、有機ＥＬ装置と外部電源が電気的に接続され、有機ＥＬ装置を駆動させることが可能となる。
一方、取り付け装置から有機ＥＬモジュールを取り外す際には、軸受け部内に挿入された状態の軸部を退避姿勢にすることで、軸受け部内から軸部が引き抜かれて、取り付け装置から有機ＥＬモジュールを取り外すことが可能となる。あるいは、軸部が挿入された状態の突出姿勢の軸受け部を退避姿勢にすることで、軸受け部内から軸部が外れて、取り付け装置から有機ＥＬモジュールを取り外すことが可能となる。
このように、突出姿勢と退避姿勢を切り替えることによって取り付け装置から有機ＥＬモジュールを着脱可能であるため、容易に有機ＥＬモジュールを取り替えることが可能である。そのため、たとえ有機ＥＬモジュールが発光不能状態に陥ったとしても、容易に新しい有機ＥＬモジュールに取り替えることができる。また、模様替えなどの際で、インテリア等の配色に合わせて居住空間の配色を変更する場合にも、取り付け装置に取り付ける有機ＥＬモジュールを適宜変更することができる。
【００１２】
請求項２に記載の発明は、前記取り付け装置は、少なくとも２つの壁面が交差する角部近傍に取り付けられるものであり、取り付け装置は、光を反射可能な反射面を備えた反射部材と、１つの壁面に対して支持部を固定する取り付け部を有し、当該反射部材は、他の壁面と取り付け部に跨がって取り付けられるものであり、前記支持部は、長尺状であって、前記取り付け部から立設されており、前記支持部は、長手方向において、前記取り付け部とは反対側端部近傍に前記軸受け部が設けられていることを特徴とする請求項１に記載の有機ＥＬモジュールの取り付け構造である。
本発明は、前記取り付け装置は、少なくとも２つの壁面が交差する角部近傍に取り付けられるものであり、取り付け装置は、光を反射可能な反射面を備えた反射部材と、１つの壁面に対して支持部を固定する取り付け部を有し、当該反射部材は、他の壁面と取り付け部に跨がって取り付けられるものであることに関連する。
【００１３】
ここでいう「角部近傍」とは、２つの壁面が交差する角部からの距離が、有機ＥＬモジュールの長辺の長さよりも近い位置にあることを表す。２つの壁面が交差する角部からの距離が有機ＥＬモジュールの短辺の長さ以下であることが好ましく、有機ＥＬモジュールの長辺の長さの２／３以下であることが特に好ましい。
【００１４】
本発明の構成によれば、取り付け装置は、少なくとも２つの壁面が交差する角部近傍に取り付けられるものであり、反射部材の反射面は、前記給電部材の軸部に対面する側に設けられている。例えば、取り付け装置を居住空間の天井と壁との境界部位（角部）近傍に取り付けた場合には、有機ＥＬモジュールの照射光を反射部材の反射面に照射することによって、反射光を居住空間に伝える疑似的なコーブ照明として機能することができる。また、有機ＥＬモジュールの照射光を反射部材の反射面に照射することによって、反射光を居住空間に伝える疑似的なコーニス照明として機能することができる。
【００１５】
請求項３に記載の発明は、前記有機ＥＬモジュールは、その一辺の中央に軸部が設けられており、一の有機ＥＬモジュールの軸部は、前記一の有機ＥＬモジュールに隣接する有機ＥＬモジュールの軸部と、並設方向に同一直線上に並んでおり、前記一の有機ＥＬモジュールの軸部は、前記一の有機ＥＬモジュールに隣接する有機ＥＬモジュールの軸部と同一の支持部によって支持されていることを特徴とする請求項１又は２に記載の有機ＥＬモジュールの取り付け構造である。
本発明は、複数の有機ＥＬモジュールを並設する有機ＥＬモジュールの取り付け構造であって、前記軸部は、有機ＥＬモジュールの一辺の中央に設けられており、当該軸部は、隣接する有機ＥＬモジュールの軸部と、並設方向に同一直線上に並んでいることに関連する。
【００１６】
本発明の構成によれば、有機ＥＬモジュールの一辺の中央に設けられているため、回転しやすい。
また、本発明の構成によれば、隣接する有機ＥＬモジュールの軸部は、並設方向に同一直線上に並んでいるため、特許文献１に比べて、隣接する有機ＥＬモジュールの発光部位間の距離を短くすることができる。すなわち、有機ＥＬ装置の設置場所の制約が少ないという特長を活かすことができる。
請求項４に記載の発明は、有機ＥＬ装置を備えた有機ＥＬモジュールと、当該有機ＥＬモジュールを固定可能な取り付け装置と、を備えた有機ＥＬモジュールの取り付け構造であって、前記有機ＥＬ装置は、前記面状に広がりを有する基材上に有機ＥＬ素子を有するものであって、発光面を備えており、前記有機ＥＬ素子は、少なくとも第１電極層、有機発光層、及び第２電極層が積層されて形成されており、前記取り付け装置は、前記有機ＥＬモジュールを壁面に対して所定の間隔を空けて支持する複数の支持部と、壁面に対して前記複数の支持部を固定する取り付け部を有し、前記複数の支持部は、長尺状であって、前記取り付け部からそれぞれ立設されており、前記複数の支持部は、外部電源と電気的に接続される軸受け部をそれぞれ有し、前記有機ＥＬモジュールは、前記第１電極層と電気的に接続された第１軸部と、前記第２電極層と電気的に接続された第２軸部を有し、前記有機ＥＬモジュールは、前記第１軸部が一の支持部の軸受け部に軸支され、第２軸部が他の支持部の軸受け部に軸支されることによって、前記一の支持部及び前記他の支持部と電気的に接続されるとともに回転可能となっており、前記複数の支持部の取り付け部からの長さは、前記有機ＥＬモジュールの回転半径よりも長く、有機ＥＬモジュールが回転することによって前記発光面が前記壁面側に向けた姿勢にできることを特徴とする有機ＥＬモジュールの取付構造である。
【００１７】
上記した発明は、面状に広がりを有する基材上に、第１電極層、有機発光層、及び第２電極層が積層された有機ＥＬ素子と、第１電極層又は第２電極層に直接的又は間接的に接続された複数の電極を有した有機ＥＬ装置を備えた有機ＥＬモジュールにおいて、外部電源と電気的に接続される軸受け部を有した取り付け装置に取り付けて、壁面に対して所定の間隔を空けて固定できる有機ＥＬモジュールであって、前記電極と電気的に接続された給電部材を有し、当該給電部材は、棒状の軸部を有し、当該軸部を介して前記軸受け部と電気的に接続されるものであり、等該軸部は、全部又は大部分が有機ＥＬモジュールの内部から突出した突出姿勢と、当該突出姿勢に対して有機ＥＬモジュールの内部に退避した退避姿勢と、に姿勢を変更することができるものであり、軸部が前記軸受け部に軸支されることによって、軸部を中心に周方向に回転可能となっており、かつ、軸部の姿勢を切り替えることによって取り付け装置から着脱可能となっていることに関連する。
【００１８】
この発明の構成によれば、有機ＥＬモジュールを周方向に回転することによって、有機ＥＬ装置からの照射光を居住空間側に直接照らす直接照明としての機能と、有機ＥＬ装置からの照射光を壁面に照射し壁面からの反射光を居住空間側に照らす間接照明の機能を備えている。そのため、居住空間のデザインに合わせて、直接照明としての機能と、間接照明の機能を容易に切り替えることができる。
また、この発明の構成によれば、突出姿勢と退避姿勢を切り替えることによって取り付け装置から着脱可能であるため、容易に有機ＥＬモジュールを取り替えることが可能である。それ故に、たとえ有機ＥＬモジュールが発光不能状態になっても、容易に新しい有機ＥＬモジュールに取り替え可能である。同様に、模様替えなどの際でインテリア等の配色に合わせて居住空間の配色を変更する場合であっても、取り付け装置に取り付ける有機ＥＬモジュールを適宜変更することができる。
【発明の効果】
【００１９】
本発明の構成によれば、直接照明の機能と間接照明の機能の双方の機能を有し、有機ＥＬモジュールを取り替え可能であるため、環境適応性及びデザイン性に優れている。
【図面の簡単な説明】
【００２０】
【図１】本発明の第１実施形態に係る有機ＥＬモジュールの取り付け構造の概念図である。
【図２】図１の有機ＥＬモジュールと取り付け装置を表す分解斜視図である。
【図３】図２の有機ＥＬモジュールの分解斜視図である。
【図４】図２の有機ＥＬモジュールのＡ−Ａ断面図であり、理解を容易にするため、ハッチングを省略している。
【図５】図３の有機ＥＬモジュールの分解斜視図であり、フレーム部材を省略した図である。
【図６】図５の有機ＥＬ装置の電極部と有機ＥＬ素子との関係を示す模式図である。
【図７】図３の要部の分解斜視図である。
【図８】図９の第１導電部材の説明図であり、（ａ）は第１導電部材を引き延ばした断面図を示し、（ｂ）は第１導電部材を折り曲げた断面図を表す。
【図９】図７のベース部材の一部破断斜視図である。
【図１０】図７のベース部材の平面図である。
【図１１】図７の給電電極の斜視図である。
【図１２】図２の取り付け装置の概念図である。
【図１３】図８の第１導電部材のベース部材への取りつけ手順を示す説明図であり、（ａ）〜（ｄ）は各工程を示す。
【図１４】第１導電部材を取り付けたベース部材に第２導電部材を取り付ける際の斜視図である。
【図１５】ベース部材に給電電極を取り付ける際の斜視図である。
【図１６】ベース部材に押さえ板を取り付ける際の斜視図である。
【図１７】有機ＥＬモジュールの回転軸部の姿勢を表す説明図であり、（ａ）突出姿勢を表し、（ｂ）は退避姿勢を表す。なお、理解を容易にするため、押さえ板を省略している。
【図１８】有機ＥＬモジュールの取り付け構造の模式図であり、取り付け装置内の電気回路を示している。
【図１９】図２の有機ＥＬモジュールにおける電流の流れを表す模式図であり、図面上図は、図２の有機ＥＬモジュールのＡ−Ａ断面図であり、図面下図は、図２における有機ＥＬモジュールのＢ−Ｂ断面図である。なお、理解を容易にするため、ハッチングを省略し、電流の導電経路に関与する領域を黒塗りで示し、電流を白矢印で示している。
【図２０】有機ＥＬモジュールの取り付け構造の使用例であり、（ａ）有機ＥＬモジュールを直接照明として使用する場合、（ｂ）有機ＥＬモジュールをコーブ照明として使用する場合、（ｃ）有機ＥＬモジュールをコーニス照明として使用する場合である。なお、照射光を矢印で示している。
【図２１】他の実施形態に係る有機ＥＬモジュールの取り付け構造の模式図である。
【図２２】別の実施形態に係る有機ＥＬモジュールの概念図である。
【図２３】さらに別の実施形態に係る取り付け装置の概念図である。
【発明を実施するための形態】
【００２１】
以下、本発明の実施形態について詳細に説明する。
なお、以下の説明において、特に断りがない限り、有機ＥＬモジュール２の上下左右の位置関係は、図２の姿勢を基準に説明する。すなわち、有機ＥＬモジュール２を天井１１６と平行にし、有機ＥＬモジュール２の発光面３１が地面（図面下側）を向いている状態を基準とする。
【００２２】
本実施形態の有機ＥＬモジュールの取り付け構造１は、図１のように、有機ＥＬモジュール２と、当該有機ＥＬモジュール２を居住空間の壁面に取り付け可能な取り付け装置３と、を有している。
ここでいう「壁面」とは、面状に広がりを持った平面や曲面を表し、居住空間内の板状部位、例えば天井や壁、床などを含む。
有機ＥＬモジュール２は、取り付け装置３によって軸支されており、給電電極１０ａ，１０ｂを回転軸として周方向に回動可能となっている。そして、有機ＥＬモジュール２の発光面３１の位置を変更することによって、居住空間に発光面３１を向けて、直接光を照射する直接照明と、壁面に発光面３１を向けて、光を反射させ間接的に居住空間に照射する間接照明として機能する。
【００２３】
有機ＥＬモジュール２は、図５，図７のように発光機能を有する有機ＥＬ装置５と、複数の第１導電部材６と、ベース部材７と、第２導電部材８と、給電電極１０ａ，１０ｂと、押さえ板１１とを備え、有機ＥＬ装置５と第１導電部材６とベース部材７をコーキング部材１２（図４参照）によって一体化したものである。そして、有機ＥＬモジュール２は、図３のようにこれらをフレーム部材１５によって一体化し、強度を高めている。
【００２４】
まず、有機ＥＬモジュール２の各構成部材及び取り付け装置３について説明する。
本実施形態の有機ＥＬ装置５は、図４のように透光性を有した基板２０（基材）上に有機ＥＬ素子３０を積層しており、その上に封止部材２５が被覆したものである。さらに有機ＥＬ装置５は、封止部材２５上に均熱板２６が載置されたものである。
有機ＥＬ装置５は、図５のようにその面内において、駆動時に実際に発光する発光面３１を有した発光領域３２と、駆動時の給電に寄与する複数の電極部３５，３６を有した給電領域３７，３８を有している。具体的には、発光領域３２は、長手方向ｌにおいて有機ＥＬ装置５の中央に位置しており、その周囲であって、長手方向ｌに対向する２辺近傍にそれぞれ給電領域３７，３８が配されている。また、発光面３１は、幅方向ｗ（長手方向及び部材厚方向に対して直交する方向）において、発光領域３２の中央に位置している。
なお、本実施形態の有機ＥＬ装置５は、少なくとも基板２０側から光を取り出すいわゆる「ボトムエミッション」型の有機ＥＬ装置である。
【００２５】
有機ＥＬ装置５の発光領域３２の構成について説明すると、有機ＥＬ装置５の発光領域３２は、図４，図５のように面状に広がりをもった基板２０上に、少なくとも１又は複数の有機ＥＬ素子３０が積層されており、有機ＥＬ素子３０上を封止部材２５が覆っている。そして、当該封止部材２５上に面状に広がりをもった均熱板２６が載置されている。
封止部材２５は、少なくとも発光領域３２の発光面３１を覆っている。封止部材２５は、有機ＥＬ素子３０の面上であって、電極部３５，３６以外の領域全体を覆っていることが好ましい。
均熱板２６は、図５のように少なくとも発光面３１の部材厚方向（上下方向）の投影面上に配されており、間接的に発光面３１全面を覆っている。そのため、有機ＥＬモジュール２の駆動時に発光面３１で発生した熱が封止部材２５を介して均熱板２６に伝わることで平面状にまんべんなく均熱化することができる。それ故に、局所的に集熱されることを防止でき、熱による発光欠陥の発生を防止することができる。
【００２６】
一方、有機ＥＬ装置５の発光領域３２の外側に位置する給電領域３７，３８の構成について説明すると、有機ＥＬ装置５の給電領域３７，３８は、図５，図６のように有機ＥＬ素子３０内の第１電極層２１又は第２電極層２３と電気的に接続された電極部３５，３６（３５ａ〜３５ｃ，３６ａ〜３６ｃ）を複数有している。
本実施形態の有機ＥＬ装置５では、給電領域３７には、３つの電極部３５ａ，３５ｂ，３５ｃが幅方向ｗに１列に並設されており、給電領域３８には、３つの電極部３６ａ，３６ｂ，３６ｃが幅方向ｗに１列に並設されている。そして、発光領域３２を挟んで長手方向ｌに対向する電極部３５ａ，３６ａ、電極部３５ｂ，３６ｂ、電極部３５ｃ，３６ｃは、それぞれ図６のように同極の電極層と電気的に接続されている。具体的には、幅方向ｗの中央側に位置する電極部３５ｂ，３６ｂは、有機ＥＬ素子３０内の第２電極層２３と電気的に接続されており、その両外側（幅方向ｗに対向する２辺側）に位置する電極部３５ａ，３６ａ、電極部３５ｃ，３６ｃは、有機ＥＬ素子３０内の第１電極層２１と電気的に接続されている。
なお、有機ＥＬ装置５を形成する各部位の詳細な説明については、後述する。
【００２７】
続いて第１導電部材６について説明する。
第１導電部材６（６ａ，６ｂ，６ｃ）は、図７のように塑性変形させて使用可能な部材であり、第１導電部材６は有機ＥＬ装置５と第２導電部材８とを電気的に接続する部材である。第１導電部材６ａ〜６ｃは、図８（ｂ）のように折り曲げて使用され、いずれも引き延ばすと、図８（ａ）のような長い箔状の部材となる。また、第１導電部材６ａ〜６ｃは、いずれも帯状に延びている。
【００２８】
第１導電部材６は、図８のように電気伝導性を有した導電箔４０と、導電箔４０の少なくとも片面の大部分を覆う絶縁性フィルム４１から形成されている。
すなわち、第１導電部材６は、導電箔４０の両面が絶縁性フィルム４１から露出した露出領域４５，４６と、導電箔４０の少なくとも片面（有機ＥＬ装置５側の面）が絶縁性フィルム４１に覆われた被覆領域４７が存在する。また、被覆領域４７は、長手方向の中間に位置しており、露出領域４５，４６は、被覆領域４７の長手方向の両外側に位置している。
【００２９】
露出領域４５は、有機ＥＬモジュール２を組み立てた際に折り曲げて使用する領域であり、有機ＥＬ装置５の電極部３５と接触可能な電極給電部５０と、後述するベース部材７の貫通孔６２（図９等）（第１導電部材６ａ，６ｃは貫通孔７５，７６）を通過して第２導電部材８ａ，８ｂと直接接触可能な導電部５１とを有している。すなわち、電極給電部５０は、電極部３５との電気的な接点として機能する部位であり、導電部５１は、第２導電部材８ａ又は第２導電部材８ｂとの電気的な接点として機能する部位である。
露出領域４６は、有機ＥＬモジュール２を組み立てた際に有機ＥＬ装置５の電極部３６と接触可能な電極給電部５２を有している。すなわち、電極給電部５２は、電極部３６との電気的な接点として機能する部位である。
【００３０】
また、電極給電部５０と導電部５１と電極給電部５２は、引き延ばした状態において、いずれも第１導電部材６の同一の面に形成されており、絶縁性フィルム４１側の面に位置している。
そして、第１導電部材６は、導電部５１に第２導電部材８が接触し、電極給電部５０，５２に有機ＥＬ装置５の電極部３５，３６が接触することによって、導電箔４０を介して有機ＥＬ装置５と第２導電部材８を電気的に接続可能となっている。
【００３１】
第１導電部材６の裏面側（ベース部材７側）に注目すると、第１導電部材６の裏面には、第１導電部材６を折り曲げた際に露出領域４５の導電箔４０が被覆領域４７の導電箔４０と重なる重なり部位５３がある。
この重なり部位５３は、有機ＥＬモジュール２を組み立てた際に電極給電部５０と導電部５１との間の電流の導電経路を短くするとともに有機ＥＬ装置５内での十分な導電面積を確保する部位である。
【００３２】
導電箔４０は、導電性を有した箔状体であり、折曲可能な部材である。導電箔４０の素材としては、導電性を有していれば、特に限定されるものではなく、銅箔や白金箔、金箔、銀箔などが採用できる。本実施形態では、銅箔を採用している。
絶縁性フィルム４１は、絶縁性を有したフィルムである。絶縁性フィルム４１の素材は、絶縁性を有していれば、特に限定されるものではなく、例えば、ポリエチレンテレフタレート（ＰＥＴ）等が採用できる。
【００３３】
続いて、ベース部材７について説明する。
ベース部材７は、図７のように第１導電部材６の一部と第２導電部材８、並びに給電電極１０ａ，１０ｂの大部分をその内部に収納する部材である。
ベース部材７は、図１０のように平面視すると天面部６３が略「日」字状をしており、天面部６３の中間部５４を挟んで天面部６３から下方に向けて延伸した２つの通電孔５５，５６を有している。すなわち、通電孔５５，５６は、天面部６３上に所定の間隔を空けて形成されており、それぞれ天面部６３での開口形状が長方形となっている。通電孔５５，５６は、図７のようにいずれも長辺が幅方向ｗを向いており、中間部５４を挟んで対向する位置にある。
【００３４】
一方の通電孔５５に注目すると、通電孔５５は、図９，図１０のように天面部６３から下方に向けて延伸した穴であり、下方側（有機ＥＬ装置５側）から上方側（押さえ板１１側）に向けて順に第１底面部５７と、第２底面部５８の２つの段状に連続した底面部を有している。すなわち、第１底面部５７と第２底面部５８は、側壁部６０を介して段状に連続している。そして、第１底面部５７上には、第１底面部５７と側壁部６０によって囲まれた第１収納空間６１が形成されている。第１底面部５７であって、長手方向ｌの外側に位置する側壁部６０との境界部位には、図１０のようにスリット状の貫通孔６２が形成されている。
【００３５】
また、第２底面部５８と天面部６３は、図９，図１０のように側壁部６５を介して段状に連続しており、第２底面部５８上には、第２底面部５８と側壁部６５によって囲まれた第２収納空間６６が形成されている。第２収納空間６６は、ベース部材７の幅方向ｗほぼ全体に延伸している。そして、貫通孔６２と第１収納空間６１と第２収納空間６６は互いに連続しており、通電孔５５は、部材厚方向に貫通した貫通孔となっている。
【００３６】
もう一方の通電孔５６に注目すると、通電孔５６は、図９，図１０のように通電孔５５と同様、天面部６３から下方に向けて延伸した穴であり、第１収納空間６１の個数が異なる。通電孔５６は、下方側（有機ＥＬ装置５側）から上方側（押さえ板１１側）に向けて順に、２つの第１底面部６７，６８と、第２底面部７０を有している。第１底面部６７と第２底面部７０は、側壁部７１を介して段状に連続しており、第１底面部６８と第２底面部７０は、側壁部７２を介して段状に連続している。そして、第１底面部６７，６８上には、第１底面部６７，６８と側壁部６０，６０によって囲まれた第１収納空間７３，７４が形成されている。
【００３７】
また、第１底面部６７，６８の長手方向ｌの外側に位置する側壁部７１，７２との境界部位には、図１０のようにスリット状の貫通孔７５，７６がそれぞれ形成されている。第２底面部７０と天面部６３は、側壁部７７を介して段状に連続しており、第２底面部７０上には、第２底面部７０と側壁部７７によって囲まれた第２収納空間７８が形成されている。そして、貫通孔７５，７６と第１収納空間７３，７４と第２収納空間７８は互いに連続しており、通電孔５６も、通電孔５５と同様、部材厚方向に貫通した貫通孔となっている。
【００３８】
天面部６３に注目すると、天面部６３の長手方向ｌの中央に位置する中間部５４は、図９，図１０のように通電孔５５，５６の第２収納空間６６，７８から中央に向けて延伸した切り欠き穴１００，１０１が設けられている。すなわち、切り欠き穴１００，１０１は中間部５４を長手方向に互いに近接するように延伸した切り欠きであり、ともに切り欠き形状が正方形状の切り欠きである。切り欠き穴１００，１０１は幅方向中央に位置している。
また、天面部６３であって、切り欠き穴１００，１０１に第２収納空間６６，７８を挟んで対向する位置には、切り欠き溝１０２，１０３が形成されている。すなわち、切り欠き溝１０２，１０３は、図７のようにベース部材７の長手方向ｌのそれぞれの端部に設けられている。
【００３９】
切り欠き溝１０２，１０３は、図９のように切り欠き形状が「Ｕ」字状の切り欠きであり、給電電極１０ａ，１０ｂの回転軸部１０５ａ，１０５ｂと係合可能な曲部を有している。この曲部は、給電電極１０ａ，１０ｂの回転軸部１０５ａ，１０５ｂの外周面とほぼ同じ曲面となっている。
そして、切り欠き穴１００と切り欠き溝１０２は、図１０のように第２収納空間６６を介して同一直線上に並んでおり、切り欠き穴１０１と切り欠き溝１０３は、第２収納空間７８を介して同一直線上に並んでいる。
【００４０】
ベース部材７全体からみると、通電孔５５の第１収納空間６１と、通電孔５６の第１収納空間７３，７４は、図１０のように幅方向に互い違いとなっており、幅方向に一方側から順に第１収納空間７３、第１収納空間６１、第１収納空間７４となっている。通電孔５５の第１収納空間６１は、幅方向中央側に位置しており、通電孔５６の第１収納空間７３，７４は、それぞれ幅方向の端部近傍に位置している。
【００４１】
続いて、第２導電部材８ａ，８ｂについて説明する。
第２導電部材８ａ，８ｂは、図７のように長方形状の箔状であり、第１導電部材６と給電電極１０ａ，１０ｂとを電気的に接続する部材である。第２導電部材８ａ，８ｂは、共に電気伝導性を有していれば特に限定されないが、銅箔、銀箔、金箔、白金箔であることが好ましい。第２導電部材８ａ，８ｂの面積は、ベース部材７の第２収納空間６６，７８（図１０参照）の底面積とほぼ等しい。
【００４２】
続いて、給電電極１０ａ，１０ｂについて説明する。
なお、給電電極１０ａ，１０ｂの各部の符号において、特に断りのない限り、末尾に「ａ」を付した場合は、給電電極１０ａにおける部位を表し、末尾に「ｂ」を付した場合は、給電電極１０ｂにおける部位を表す。
給電電極１０ａ，１０ｂは、電気伝導性を有した部材であり、有機ＥＬモジュール２を組み立てた際に、弾性部材１１０の弾性によってフレーム部材１５の内外に突出・退出が可能となっている。また、給電電極１０ａ，１０ｂは、取り付け装置３の支持部８６，８７によって軸支されることで、回転軸として機能する部材である。
一方の給電電極１０ａは、外部電源の正極と電気的に接続され、もう一方の給電電極１０ｂは、外部電源の負極と電気的に接続されるものである。
【００４３】
給電電極１０ａ，１０ｂは、図１１のように本体部材１０８ａ，１０８ｂと、本体部材１０８ａ，１０８ｂの端部に取り付けられる弾性部材１１０から形成されている。
本体部材１０８ａ，１０８ｂは、一方の端部（弾性部材１１０と反対側）から順に回転軸部１０５ａ，１０５ｂと、導電部１０６ａ，１０６ｂと、位置決め部１０７ａ，１０７ｂとを有している。
回転軸部１０５ａ，１０５ｂは、円柱状の部位であり、取り付け装置３の軸受け部９２，９３内で回転軸として機能する部位である。
導電部１０６ａ，１０６ｂは、板状の部位であり、第２導電部材８と面接触することで第２導電部材８と電気的に接続する部位である。導電部１０６ａ，１０６ｂの長さＬ１は、第２導電部材８の幅Ｌ２（図７参照）よりも小さい。
位置決め部１０７ａ，１０７ｂは、長方形状の棒状部位であり、弾性部材１１０によって押圧される部位である。位置決め部１０７ａ，１０７ｂは、ベース部材７の切り欠き穴１００又は切り欠き穴１０１と嵌合可能となっている。
【００４４】
弾性部材１１０は、弾性を有し、本体部材１０８ａ，１０８ｂを付勢する機能を有する部材であれば特に限定されないが、例えば、コイルばねや板バネなどの公知のばねが採用できる。本実施形態では、コイルばねを採用している。
【００４５】
続いて、押さえ板１１について説明する。
押さえ板１１は、図７のように長方形状の板状体である。押さえ板１１は、ベース部材７から給電電極１０ａ，１０ｂが離反することを防止する部材である。押さえ板１１は、絶縁性を有していれば、特に限定されないが、絶縁性樹脂であることが好ましく、ポリカーボネート樹脂であることがより好ましい。
押さえ板１１は、ベース部材７の天面部６３全面を被覆可能な大きさとなっている。
【００４６】
続いて、フレーム部材１５について説明する。
フレーム部材１５は、図３のように額縁状の部材であり、基板２０の剛性を補強する部材である。フレーム部材１５は、有機ＥＬモジュール２を組み立てた際に有機ＥＬ装置５の４辺を囲み、有機ＥＬ装置５とベース部材７と押さえ板１１とを一体化し、互いの離反を防止する機能を有する。フレーム部材１５は、図４のように押さえ板１１を介して給電電極１０ａ，１０ｂをベース部材７上の導電箔４０に押しつける部材である。
フレーム部材１５は、図３のように断面形状が「コ」字状の枠体であり、天面部８０と、底面部８１と、天面部８０と底面部８１を接続する立壁部８２を有している。立壁部８２は、給電部材の一部が挿通可能な挿通孔８３，８４を有している。
【００４７】
挿通孔８３，８４は、開口形状が円形の貫通孔であり、有機ＥＬモジュール２を組み立てた際に、ベース部材７の切り欠き溝１０２，１０３と対応する位置に設けられている。すなわち、挿通孔８３，８４は、長手方向ｌに対向する位置にあり、切り欠き溝１０２，１０３と連続している。また、挿通孔８３，８４は、給電電極１０ａ，１０ｂの回転軸部１０５ａ，１０５ｂを挿通可能となっている。
【００４８】
続いて、有機ＥＬモジュール２を取り付ける取り付け装置３について説明する。
取り付け装置３は、外部電源と有機ＥＬモジュール２を電気的に接続し、且つ、有機ＥＬモジュール２の給電電極１０ａ，１０ｂを軸支する部材である。
取り付け装置３は、図１２のように壁面への取り付け部８５と、取り付け部８５から立設された支持部８６，８７とによって形成されている。
【００４９】
取り付け部８５は、壁面に面状に取り付けられる部材であり、公知の締結要素によって、壁面（本実施形態では、壁１１７）に取り付け可能となっている。取り付け部８５は、その内部に電気回路を有しており、支持部８６，８７の導電部材９０，９１と電気的に接続されている。
支持部８６，８７は、図１２のように長尺状の部位であり、その内部に導電部材９０，９１が内蔵されている。また、支持部８６，８７は、突出方向先端部（取り付け部８５と反対側端部）近傍に軸受け部９２，９３を有している。軸受け部９２，９３は、支持部８６，８７の側面から導電部材９０，９１に向かって延伸した給電穴であり、その内壁は導電部材９０，９１と連続し、電気的に接続されている。そして、軸受け部９２，９３は、有機ＥＬモジュール２の給電電極１０ａ及び／又は給電電極１０ｂをその内部に挿脱可能となっている。
軸受け部９２，９３は、給電電極１０ａ，１０ｂの回転軸部１０５ａ，１０５ｂを挿通する軸受けとして機能する。すなわち、軸受け部９２，９３内部で給電電極１０ａ，１０ｂの回転軸部１０５ａ，１０５ｂがそれぞれ回転可能となっている。
また、図２に示されるように、支持部８６，８７の取り付け部８５からの突出長さＷ１は、有機ＥＬモジュール２の回転半径Ｒ１よりも長い。
【００５０】
続いて、有機ＥＬモジュール２の一般的な組み立て手順に従って各部材の位置関係について説明する。
【００５１】
まず、第１導電部材６をベース部材７に設置する工程について説明する。なお、第１導電部材６ａ〜６ｃについてはベース部材７に設置する工程が同じであるため、特に断りのない限り、第１導電部材６ｂについて説明し、第１導電部材６ａ，６ｃについては説明を省略する。
第１導電部材６ｂを折り曲げ、ベース部材７に取り付ける。具体的には、第１導電部材６ｂの電極給電部５０が端部になるように折り曲げ（図１３（ａ）から図１３（ｂ））、重なり部位５３の縁で折り返す（図１３（ｂ）から図１３（ｃ））。
【００５２】
そして、ベース部材７の貫通孔６２内に第１導電部材６ｂの一部を挿入し、第１収納空間６１を第１導電部材６ｂによって充填されるようにさらに内側に折り曲げる（図１３（ｃ）から図１３（ｄ））。
このとき、図１４のように第１導電部材６ｂの一部（導電部５１の反対側の面）がベース部材７上に載置されており、導電部５１が第１収納空間６１（図１０参照）内に位置している。また、導電部５１は、部材厚方向上方を向いている。
また、このとき、図４のように露出領域４５の導電箔４０と被覆領域４７の導電箔４０がベース部材７を挟んでいる。導電部５１と反対側の面は、ベース部材７と接着されている。
【００５３】
また、全体からみると、図７のように第１収納空間７３，６１，７４のそれぞれに第１導電部材６ａ，６ｂ，６ｃが並設されている。そして、各第１導電部材６ａ，６ｂ，６ｃは、互いに所定の間隔を空けて配されている。具体的には、第１導電部材６ａ，６ｂ間の間隔は、有機ＥＬ装置５の電極部３５ａ，３５ｂ間及び／又は電極部３６ａ，３６ｂと等しい。同様に第１導電部材６ｂ，６ｃ間の間隔は、有機ＥＬ装置５の電極部３５ｂ，３５ｃ間及び／又は電極部３６ｂ，３６ｃと等しい。第１導電部材６ａ，６ｂ，６ｃの電極給電部５０ａ，５０ｂ，５０ｃは、幅方向ｗに直線上に並んでおり、同様に、電極給電部５２ａ，５２ｂ，５２ｃも幅方向ｗに直線上に並んでいる。
【００５４】
ベース部材７の貫通孔７５，６２，７６内に第１導電部材６ａ，６ｂ，６ｃがそれぞれ挿入されており、その一部がベース部材７の貫通孔７５，６２，７６内を経由して、ベース部材７の裏面側（上方側）に張り出している。すなわち、第１導電部材６ａ，６ｂ，６ｃはベース部材７の表面側とベース部材７の裏面側を、導電箔４０を介して電気的に接続している。
【００５５】
次に、別途工程によって組み立てられた有機ＥＬ装置５上に、上記した工程によって一体化された第１導電部材６ａ，６ｂ，６ｃとベース部材７を載置する。
このとき、有機ＥＬ装置５の電極部３５ａ，３６ａは、第１導電部材６ａの電極給電部５０ａ，５２ａと接触している。同様に有機ＥＬ装置５の電極部３５ｂ，３６ｂは第１導電部材６ｂの電極給電部５０ｂ，５２ｂと接触しており、有機ＥＬ装置５の電極部３５ｃ，３６ｃは第１導電部材６ｃの電極給電部５０ｃ，５２ｃと接触している。
【００５６】
その後、有機ＥＬ装置５の側面と、各第１導電部材６ａ，６ｂ，６ｃの一部にコーキング原料を塗布して、コーキング部材１２を形成する。
このとき、有機ＥＬ装置５の側面と、各第１導電部材６ａ，６ｂ，６ｃの一部を覆うようにコーキング部材１２が形成されている。コーキング部材１２の外側側面は、図５のようにベース部材７の端面と面一となっている。
なお、ここで使用するコーキング部材１２の原料としては、接着性を有し、固化する原料であれば特に限定されないが、絶縁性を有する熱硬化性樹脂であることが好ましい。特に防水性を有した樹脂であることがより好ましい。
【００５７】
コーキング部材１２の形成後、図１４のようにベース部材７の第２収納空間６６，７８内に第２導電部材８ａ，８ｂを設置する。
このとき、第１導電部材６ａ，６ｂ，６ｃの導電部５１ａ，５１ｂ，５１ｃと第２導電部材８ａ，８ｂの下面とが接触している。また、図１５に示されるように第２収納空間６６，７８内に第２導電部材８ａ，８ｂを底面とする導電空間１１１，１１２が形成されている。導電空間１１１，１１２と切り欠き穴１００，１０１と切り欠き溝１０２，１０３はそれぞれ直線状に連続している。
【００５８】
図１５のように導電空間１１１，１１２と切り欠き穴１００，１０１と切り欠き溝１０２，１０３に跨がって給電電極１０ａ，１０ｂを取り付ける。
このとき、切り欠き穴１００，１０１内に、位置決め部１０７ａ，１０７ｂの一部と弾性部材１１０，１１０が位置しており、導電空間１１１，１１２内に導電部１０６ａ，１０６ｂが位置しており、切り欠き溝１０２，１０３内に回転軸部１０５ａ，１０５ｂが位置している。
また、弾性部材１１０，１１０は、本体部材１０８ａ，１０８ｂの位置決め部１０７ａ，１０７ｂの端面を付勢した状態で設けられている。導電部１０６ａ，１０６ｂの長手方向ｌ外側端面は、ベース部材７の側壁部６５に当接している。回転軸部１０５ａ，１０５ｂは、切り欠き溝１０２，１０３を経由して、その大部分がベース部材７の外部に露出している。すなわち、回転軸部１０５ａ，１０５ｂは、大部分がベース部材７から張り出している。導電部１０６ａ，１０６ｂと中間部５４側の側壁部６５，７７との間には所定の間隔が空いており、空間が形成されている。給電電極１０ａ，１０ｂは同一直線上に並んでおり、一本の回転軸を形成している。
【００５９】
その後、図１６のように給電電極１０ａ，１０ｂを第２導電部材８に押さえつけるように押さえ板１１をベース部材７の天面部６３上に載置する。
【００６０】
コーキング部材１２の外側からコーキング部材１２とベース部材７との接続部位を覆うように、フレーム部材１５を取り付け、押さえ板１１と、ベース部材７を一体化する。
このとき、フレーム部材１５は、図４のように底面部８１上に有機ＥＬ装置５の基板２０が載置されており、天面部８０の下面に押さえ板１１が位置している。すなわち、フレーム部材１５は、有機ＥＬ装置５とベース部材７と押さえ板１１を部材厚方向に挟持しており、立壁部８２の剛性によって、有機ＥＬ装置５とベース部材７と押さえ板１１が互いに離反することを防止している。給電電極１０ａ，１０ｂからみると、給電電極１０ａ，１０ｂは、第２導電部材８と押さえ板１１によって厚み方向に挟持されている。
【００６１】
また、位置決め部１０７ａ，１０７ｂは切り欠き穴１００，１０１の内壁と押さえ板１１の下面とによって挟まれており、長手方向以外の動きを規制されている。さらに、導電空間１１１，１１２内に平面状に広がりを有した導電部１０６ａ，１０６ｂが配されているため、本体部材１０８ａ，１０８ｂは周方向の動きが規制されている。
フレーム部材１５の挿通孔８３，８４から回転軸部１０５ａ，１０５ｂが両外側に張り出している。すなわち、回転軸部１０５ａ，１０５ｂは互いに離反する方向に突出している。
回転軸部１０５ａ，１０５ｂは、弾性部材１１０の弾性復元力によって、常に突出するように付勢されている。このように、有機ＥＬモジュール２は、図１７（ａ）のように外力を受けない限り、フレーム部材１５から回転軸部１０５ａ，１０５ｂが突出した突出姿勢を取っている。
以上が、有機ＥＬモジュール２の一般的な組み立て手順である。
【００６２】
続いて、上記した手順によって形成された有機ＥＬモジュール２を取り付け装置３に取り付ける際の一般的な取り付け手順に沿って有機ＥＬモジュール２の各部材と、取り付け装置３との位置関係について説明する。
【００６３】
あらかじめ、壁面（本実施形態では壁１１７）に取り付け部８５を公知の締結要素によって取り付ける。
このとき、支持部８６，８７は、壁１１７に対して立設した状態となっている。また、取り付け装置３の隣接する支持部８６，８７の間隔は、有機ＥＬモジュール２の長さとほぼ等しいか、やや大きい。そのため、有機ＥＬモジュール２の回転軸部１０５ａ，１０５ｂが通常の突出姿勢（図１７（ａ））では、取り付けることができない。
【００６４】
そこで、本実施形態では、使用者が外力を加えることによって、一時的に有機ＥＬモジュール２の姿勢を変更させて、取り付け装置３に取り付ける。
具体的には、使用者は、突出姿勢の有機ＥＬモジュール２（図１７（ａ））に対して、回転軸部１０５ａ，１０５ｂを押圧しながら、支持部８６，８７の軸受け部９２，９３内に回転軸部１０５ａ，１０５ｂを差し込む（図１７（ｂ））。
このとき、有機ＥＬモジュール２は、図１７（ｂ）のような一時的にフレーム部材１５内に回転軸部１０５ａ，１０５ｂの大部分又は全部が退避した退避姿勢を取るため、回転軸部１０５ａ，１０５ｂがほとんど突出せず、支持部８６，８７間に有機ＥＬモジュール２を介在させることができる。そして、弾性部材１１０の復元力によって退避姿勢から突出姿勢に戻ると、軸受け部９２，９３内に回転軸部１０５ａ，１０５ｂが挿入され、回転軸部１０５ａ，１０５ｂが軸支された状態となる。
【００６５】
この退避姿勢における有機ＥＬモジュール２の内部構造に注目すると、弾性部材１１０の弾性復元力に逆らって本体部材１０８ａ，１０８ｂが押し込まれ、導電空間１１１，１１２内を長手方向ｌの中間部５４側に導電部１０６ａ，１０６ｂが移動する。
また、上記したように隣接する支持部８６，８７間の間隔が有機ＥＬモジュール２のフレーム部材１５の長さとほぼ等しいため、回転軸部１０５ａ，１０５ｂは、支持部８６，８７の軸受け部９２，９３内にほぼ収納されており、ほとんど外部に露出しない。そのため、有機ＥＬモジュール２の駆動中に、使用者が誤って回転軸部１０５ａ，１０５ｂに触れることがない。
【００６６】
続いて、取り付け装置３から取り外す際について説明する。
有機ＥＬモジュール２を一方の支持部８６，８７側に押し込み、有機ＥＬモジュール２を支持部８６，８７の突出方向にスライドさせる。
このとき、有機ＥＬモジュール２は、一時的に退避姿勢を取るため、有機ＥＬモジュール２を取り外すことができる。
【００６７】
以上のように本実施形態の有機ＥＬモジュールの取り付け構造１は、有機ＥＬモジュール２を容易に取り外し可能となっている。
【００６８】
続いて、本発明の有機ＥＬモジュール２を図１８のように取り付け装置３に取り付け、電気的に外部電源に繋いだ場合の予想される電流の流れについて説明する。なお、ここでは、第１導電部材６ａと第１導電部材６ｂを通過する電流の関係について説明し、第１導電部材６ｃと第１導電部材６ｂを通過する電流の関係については同様であるため省略する。
【００６９】
外部電源から流れる電流は、取り付け装置３の支持部８６に内蔵される導電部材９０を介して軸受け部９２に至り、軸受け部９２から給電電極１０ａの回転軸部１０５ａに伝わる。図１９（ａ）のように給電電極１０ａの回転軸部１０５ａに至った電流は、給電電極１０ａの内部を伝わり、導電部１０６ａから第２導電部材８ａを介して第１導電部材６ａの導電部５１に至り、第１導電部材６ａ内で、導電部５１から電極給電部５０，５２の双方に伝わり、有機ＥＬ装置５の電極部３５ａ，３６ａに至る。電極部３５ａ，３６ａに至った電流は、第１電極層２１に伝わって第１電極層２１内を面状に広がり、有機ＥＬ素子３０内を伝わって機能層２２が発光し、第２電極層２３に伝わる。このとき、機能層２２に電圧が印加され機能層２２が発光する。
【００７０】
第２電極層２３に至った電流は、図１９（ｂ）のように第１導電部材６ｂの電極給電部５０，５２に伝わり、第１導電部材６ｂ内を伝わって導電部５１に至り、第２導電部材８ｂに伝わる。第２導電部材８ｂから給電電極１０ｂの導電部１０６ｂに伝わり、給電電極１０ｂの導電部１０６ｂから給電電極１０ｂ内を通って回転軸部１０５ｂから軸受け部９３に伝わる。軸受け部９３から支持部８７内の導電部材９１を伝わって外部電源に至る。
【００７１】
続いて、有機ＥＬモジュールの取り付け構造１の応用例について説明する。
図１に示される有機ＥＬモジュールの取り付け構造１は、居住空間の天井１１６と壁１１７との境界部位に設置されている。具体的には、天井１１６と壁１１７とによって形成される角部近傍であって、壁１１７に取り付け部８５を固定し、図１のように、天井１１６と取り付け部８５に跨がるように反射部材１１５が敷設されている。反射部材１１５は、円弧状の反射面を有しており、当該反射面は、有機ＥＬモジュール２の回転軸部１０５ａ，１０５ｂを中心とした円弧状となっている。すなわち、当該反射面は、全部又は一部が回転軸部１０５ａ，１０５ｂとの距離が一定となっている。
ここでいう「角部近傍」とは、天井１１６と壁１１７が交差する角部から取り付け装置３の支持部８６又は支持部８７までの最短距離が、有機ＥＬモジュール２の長辺の長さよりも近い位置にあることを表す。天井１１６と壁１１７が交差する角部から取り付け装置３の支持部８６又は支持部８７までの最短距離が有機ＥＬモジュール２の短辺の長さ以下であることが好ましく、有機ＥＬモジュール２の長辺の長さの２／３以下であることが特に好ましい。
また、図１に示される有機ＥＬモジュールの取り付け構造１は、１つの取り付け装置３について複数の有機ＥＬモジュール２が並設されている。そして、隣接する有機ＥＬモジュール２間に１つの取り付け装置３の支持部８６又は支持部８７が位置しており、隣接する有機ＥＬモジュール２の双方を軸支している。隣接する有機ＥＬモジュール２のそれぞれの回転軸部１０５ａ，１０５ｂは並設方向に同一直線上に並んでいる。そのため、並設方向に隣接する有機ＥＬモジュール２間の間隔を狭めることができる。
【００７２】
有機ＥＬモジュール２は、取り付け装置３に対して相対的に回転可能であるため、図２０（ａ）のように直接有機ＥＬモジュール２の発光面３１を居住空間側に向けることによって、通常の直接照明として機能する。また、図２０（ｂ）のように天井１１６側に有機ＥＬモジュール２の発光面３１を向けることによって、反射部材１１５の反射面が照射光を反射して、居住空間側に伝える。すなわち、有機ＥＬモジュール２は、発光面３１の位置を変化させることによって疑似的なコーブ照明として機能する。また、この状態において反射部材１１５の反射面は、光の光軸に対して交差している。
図２０（ｃ）のように壁１１７側に有機ＥＬモジュール２の発光面３１を向けることによって、反射部材１１５の反射面が照射光を反射して、居住空間側に伝える。すなわち、有機ＥＬモジュール２は、発光面３１の位置を変化させることによって疑似的なコーニス照明としても機能する。また、この状態において反射部材１１５の反射面は、光の光軸に対して交差している。
このように、図１９に示される有機ＥＬモジュールの取り付け構造１は、少なくとも３つの照明として機能するため、居住空間のレイアウトの変更等に柔軟に対応できる。
【００７３】
最後に、有機ＥＬ装置５を構成する各部位について説明する。
【００７４】
基板２０は、透光性を有した基板が採用されている。例えば、フレキシブル基板やプラスチック基板などから適宜選択され採用される。ガラス基板やフィルム基板は透明性や加工性の良さの点から特に好ましい。
本実施形態では、基板２０としてガラス基板が採用されている。
基板２０の厚みは、０．３ｍｍから５ｍｍであり、０．５ｍｍから３ｍｍであることが好ましい。
また、基板２０の面積は、２５ｃｍ2から４ｍ2であり、５０ｃｍ2から２ｍ2であることが好ましく、１００ｃｍ2から２５００ｃｍ2であることが特に好ましい。
【００７５】
有機ＥＬ素子３０は、少なくとも、第１電極層２１と、機能層２２（有機発光層）と、第２電極層２３から形成される積層体である。本実施形態では、基板２０側から順に第１電極層２１と、機能層２２と、第２電極層２３が積層されて形成されている。
【００７６】
第１電極層２１の素材は、特に限定されるものではなく、例えば、インジウム錫酸化物（ＩＴＯ）、インジウム亜鉛酸化物（ＩＺＯ）、酸化錫（ＳｎＯ2）、酸化亜鉛（ＺｎＯ）等の金属酸化物や、銀（Ａｇ）、クロム（Ｃｒ）等のような金属などが採用される。機能層内の発光層から発生した光を効果的に取り出せる点では、透明性が高いＩＴＯあるいはＩＺＯが特に好ましい。本実施形態では、ＩＴＯを採用している。
【００７７】
機能層２２は、第１電極層２１と第２電極層２３との間に設けられ、少なくとも一つの発光層を有している層である。機能層２２の素材は、主に有機化合物からなる複数の層から構成されている。この機能層２２は、一般な有機ＥＬ装置に用いられている低分子系色素材料や、共役系高分子材料などの公知なもので形成することができる。また、この機能層２２は、ホール注入層、ホール輸送層、発光層、電子輸送層、電子注入層などの複数の層からなる積層多層構造であってもよい。
【００７８】
第２電極層２３の素材は、特に限定されるものではなく、例えば銀（Ａｇ）やアルミニウム（Ａｌ）などが挙げられる。本実施形態の第２電極層２３は、Ａｌで形成されている。
【００７９】
封止部材１６は、防水性及び絶縁性を有した公知の部材であり、例えば、ＳｉＯ2等が採用できる。本実施形態では、ＳｉＯ2を採用している。
【００８０】
均熱板１７は、均熱性を有した板状体であり、例えば、グラファイトシートやアルミ板などが採用できる。
【００８１】
電極部３５，３６は、第１電極層２１又は第２電極層２３と直接的又は間接的に接続され、電気的に接続された部材である。電極部３５，３６の素材としては、電気伝導性を有すれば特に限定されるものではなく、例えば、異方性導電膜（ＡＣＦ）や低温半田などが採用できる。また、第１電極層２１又は第２電極層２３の一部を電極部３５，３６として使用してもよい。なお、本実施形態では、電極部３５，３６は異方性導電膜（ＡＣＦ）によって形成されている。
【００８２】
上記した実施形態では、有機ＥＬモジュール２の対向する２辺に回転軸部１０５ａ，１０５ｂが設けられていたが、本発明はこれに限定されるものではなく、有機ＥＬモジュール２の角部に回転軸部１０５ａ，１０５ｂを設けても良い。
【００８３】
上記した実施形態では、取り付け装置の支持部１つにつき、外部電源の正極と電気的に接続された導電部材９０又は負極と電気的に接続された導電部材９１を内蔵していたが、本発明はこれに限定されるものではなく、図２１のように支持部１つにつき外部電源の正極と電気的に接続された導電部材９０と、外部電源の負極と電気的に接続された導電部材９１との双方を内蔵していてもよい。
【００８４】
上記した実施形態では、給電電極１０ａ，１０ｂの双方が伸縮自在となっており、姿勢変更が可能であったが、本発明はこれに限定されるものではなく、給電電極１０ａ，１０ｂのうち一方が、姿勢変更できればよい。
【００８５】
上記した実施形態では、給電電極１０ａ，１０ｂがともに突出・退避姿勢をとるものについて説明したが、本発明はこれに限定されるものではなく、給電電極１０ａ，１０ｂのうち一方が突出・退避姿勢を取れればよい。
【００８６】
上記した実施形態では、有機ＥＬモジュール２を取り替える際に、給電電極１０ａ，１０ｂを同時に突出姿勢から退避姿勢、及び退避姿勢から突出姿勢に姿勢を変更させる場合について説明したが、本発明はこれに限定されるものではなく、給電電極１０ａ，１０ｂのうち一方のみを突出姿勢から退避姿勢、退避姿勢から突出姿勢に姿勢を変更させて、有機ＥＬモジュール２を取り替えてもよい。
【００８７】
上記した実施形態では、天井１１６と取り付け部８５に跨がって反射部材１１５を設けたが、本発明はこれに限定されるものではなく、反射部材を設けなくてもよい。すなわち、直接壁面によって反射させてもよい。
【００８８】
上記した実施形態では、有機ＥＬモジュール２と回転軸部１０５とが一体的となって取り付け装置３の支持部８６，８７に対して相対的に回転する構造であったが、本発明はこれに限定されるものではなく、有機ＥＬモジュール２内で回転軸部１０５が相対的に回転する構造であってもよい。例えば、図２２に示される有機ＥＬモジュールでは、第２導電部材８と一体となった固定受け部１２０が設けられており、この固定受け部１２０内を、回転軸部１０５を備えた本体部材１２１が回転可能となっている。
【００８９】
上記した実施形態では、回転軸部１０５が突出姿勢及び退避姿勢をとるものであったが、本発明はこれに限定されるものではなく、取り付け装置３の軸受け部が可動するものであってもよい。例えば、図２３に示される有機ＥＬモジュールでは、軸受け部１３０が弾性部材１３１によって付勢されている。そして、有機ＥＬモジュールの取り付け装置３への取り付け時には、弾性部材１３１の弾性によって一時的に退避姿勢をとることで取り付けることが可能となっている。
【符号の説明】
【００９０】
１  有機ＥＬモジュールの取り付け構造
２  有機ＥＬモジュール
３  取り付け装置
１０ａ，１０ｂ  給電電極（給電部材）
３５，３６  電極部（電極）
９２，９３  軸受け部
１０５ａ  回転軸部（軸部，第１軸部）
１０５ｂ  回転軸部（軸部，第２軸部）
１１５  反射部材
【図１】
0005992205.tif 000002
【図２】
0005992205.tif 000003
【図３】
0005992205.tif 000004
【図４】
0005992205.tif 000005
【図５】
0005992205.tif 000006
【図６】
0005992205.tif 000007
【図７】
0005992205.tif 000008
【図８】
0005992205.tif 000009
【図９】
0005992205.tif 000010
【図１０】
0005992205.tif 000011
【図１１】
0005992205.tif 000012
【図１２】
0005992205.tif 000013
【図１３】
0005992205.tif 000014
【図１４】
0005992205.tif 000015
【図１５】
0005992205.tif 000016
【図１６】
0005992205.tif 000017
【図１７】
0005992205.tif 000018
【図１８】
0005992205.tif 000019
【図１９】
0005992205.tif 000020
【図２０】
0005992205.tif 000021
【図２１】
0005992205.tif 000022
【図２２】
0005992205.tif 000023
【図２３】
0005992205.tif 000024